【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
アルコキシシリル官能性ポリエーテルシロキサンまたはこのようなポリエーテルシロキサンの混合物。
【請求項２】
式（Ｉ）を有する請求項１に記載のアルコキシシリル官能性ポリエーテルシロキサンまたはこのようなポリエーテルシロキサンの混合物
【化１】
2012511067.tif 000001
［式中、
Ｘは、場合によっては酸素、窒素、リンまたは硫黄などのヘテロ原子を含有してもよい、炭素原子数１〜２０の直鎖状、環状、または分枝状、脂肪族または芳香族、飽和または不飽和の炭化水素基であり、
Ｘ１は、Ｘ、Ｘ２またはＸ３であり、
Ｘ２は、ＯＨ官能性の、任意選択でエステルまたはカーボネートで変性されている、アルコキシシリル基を有する式（Ｉａ）のポリオキシアルキレン基であり、
【化２】
2012511067.tif 000002
Ｘ３は、末端がエーテル化されている式（Ｉｂ）のポリオキシアルキレン基であり、
【化３】
2012511067.tif 000003
式中、
Ｒ１３は、炭素原子数１〜１８のアルキル基であるか、または、一官能性カルボン酸で末端がエステル化されている式（Ｉｃ）のポリオキシアルキレン基であり、
【化４】
2012511067.tif 000004
式中、
Ｒ１４は、ＯＨ基を有してもよい、炭素原子数１〜３０の飽和または一不飽和もしくは多不飽和、直鎖状または分枝状、脂肪族または芳香族の炭化水素基であり、
Ｘ４は、Ｘ１または式（Ｉｄ）のフラグメントに対応し、
【化５】
2012511067.tif 000005
式中、
ｋ、ｋ１およびｋ２は、各々、互いに独立して、０〜５００の整数であり、
ｌ３、ｌ４、ｌ５、ｌ６、ｌ７およびｌ８は、各々、互いに独立して、０〜６０の整数であり、
ｏは、０〜１０の整数であり、
但し、
Ｘ１は、ｌ３、ｌ５およびｌ７の合計がゼロである場合、少なくとも１回はＸ２と同一であり、
Ｘ１がＸ２と同一でない場合、ｌ３、ｌ５およびｌ７の合計は少なくとも１であり、
式中、
ａは、１〜３の整数であり、
ｂは、０〜２の整数であり、
ａとｂの合計は、３であり、
ｃは、０〜２４の整数であり、
ｃ１は、０〜２４の整数であり、
ｄは、１〜５００の整数であり、
ｅは、０〜５０００の整数であり、
ｎは、２〜８の整数であり、
ｆ、ｇ、ｈ、ｉおよびｊは、各々、０〜５００の整数であり、
但し、指数ｄ〜ｊを有するフラグメントは、互いに自由に並べ替えられてもよく、即ち、ポリエーテル鎖内の配列が互いに入れ替えられてもよく、指数ｄ〜ｊを有するフラグメントの様々なモノマー単位は、ブロック状に配列されていてもよいし、またはランダムに分布していてもよく、
但し、指数ｋ、ｋ１、ｋ２、ｌ３、ｌ４、ｌ５、ｌ６、ｌ７、ｌ８およびｏを有するフラグメントは、互いに自由に並べ替えられてもよく、即ち、シロキサン鎖内で互いに入れ替えられてもよく、場合によっては、ランダムに分布していてもよいし、またはブロック状に配列されていてもよく、
Ｒは、炭素原子数１〜２０の直鎖状もしくは分枝状、飽和、一不飽和もしくは多不飽和のアルキル基、または炭素原子数１〜２０のハロアルキル基の中から選択される１つ以上の同一のまたは異なる基であり、
Ｒ２またはＲ３およびＲ５またはＲ６は同一であるか、または、各々、互いに独立して、Ｈ、または、飽和、もしくは、任意選択で一不飽和もしくは多不飽和、さらに置換された、１価もしくは多価の炭化水素基であり、ここで、Ｒ５基およびＲ６基は、各々、１価の炭化水素基であり、前記炭化水素基Ｒ２およびＲ３は、フラグメントＹにより脂環式架橋されていてもよく；Ｙは、存在しなくてもよく、または１個もしくは２個のメチレン単位を有するメチレン架橋であり；Ｙが０の場合、Ｒ２またはＲ３は、各々、互いに独立して、炭素原子数１〜２０、好ましくは１〜１０の直鎖状または分枝状の基であり、さらに置換されていてもよく、ハロゲン、ヒドロキシル基またはグリシジルオキシプロピル基などの官能基を有してもよく、
Ｒ４は、芳香族基または脂環式基に結合していてもよい炭素原子数１〜１８の直鎖状または分枝状アルキル基であり、
Ｒ７およびＲ８は、互いに独立して、水素、アルキル基、アルコキシ基、アリール基またはアラルキル基であり、
Ｒ９、Ｒ１０、Ｒ１１およびＲ１２は、互いに独立して、水素、アルキル基、アルケニル基、アルコキシ基、アリール基、またはアラルキル基であり、前記炭化水素基は、フラグメントＺで脂環式架橋または芳香族架橋されていてもよく、Ｚは、２価のアルキレン基であってもよいし、またはアルケニレン基であってもよい］。
【請求項３】
ポリエーテル鎖が、各々、ＳｉＣ結合によりポリシロキサン主鎖に結合している、式（Ｉ）のアルコキシシリル官能基を有する請求項１に記載のポリエーテルシロキサンの形態の櫛型に分枝した共重合体。
【請求項４】
ｏが０（ゼロ）であり、ｌ３＝ｌ４＝０（ゼロ）、およびＸ１＝Ｘ２＝アルコキシシリルポリエーテル基である、請求項２に記載のＳｉ−Ｃ結合を有する直鎖状ポリエーテル−シロキサン−ポリエーテルトリブロック共重合体。
【請求項５】
ｏが０（ゼロ）ではなく、ｌ３＝ｌ４＝０（ゼロ）、ｌ５＝ｌ６＝０（ゼロ）、およびＸ１＝Ｘ２＝アルコキシシリルポリエーテル基である、請求項２に記載のＳｉ−Ｃ結合を有する分枝状ポリエーテル−シロキサン−ポリエーテルブロック共重合体。
【請求項６】
アルコキシシリル基を有するポリエーテル鎖がシロキサン体にＳｉ−Ｏ−Ｃ結合により結合している、式（ＩＩ）の直鎖状ポリエーテル−シロキサン−ポリエーテルトリブロック共重合体
【化６】
2012511067.tif 000006
［式中、
Ｒ’は、１つ以上の同一のまたは異なる、炭素原子数１〜２０の直鎖状または分枝状、飽和、一不飽和または多不飽和のアルキル基に対応し、
ｍは、０〜５０００の整数であり、
Ｘ７は、式（ＩＩａ）のポリエーテルフラグメントに対応し、
【化７】
2012511067.tif 000007
置換基Ｒ、Ｒ２〜Ｒ１２、Ｙ基およびＺ基、ならびに指数ａ、ｂ、ｃ、ｄ、ｅ、ｆ、ｇ、ｈ、ｉ、ｊおよびｎは、式（Ｉａ）の化合物について前述した定義に対応する］。
【請求項７】
ポリエーテルシロキサンまたはシラノールが、ＤＭＣ触媒を用いてアルコキシシリル基を有するエポキシドでアルコキシル化されることを特徴とする、請求項１〜６のいずれか１項に記載のアルコキシシリル官能性ポリエーテルシロキサンおよびその混合物の製造方法。
【請求項８】
ＳｉＨ基を有する水素シロキサンと、アルコキシシリル基を有する不飽和ポリエーテルとを遷移金属触媒を用いてＳｉＣ結合させることによる、請求項１〜６のいずれか１項に記載のアルコキシシリル官能性ポリエーテルシロキサンおよびその混合物の製造方法。
【請求項９】
前記シロキサン骨格を保持して行われる、請求項８に記載のアルコキシシリル官能性ポリエーテルシロキサンの製造方法。
【請求項１０】
式（Ｉ）のアルコキシシリル官能性ポリエーテルシロキサンおよびその混合物が、
ａ）複合金属シアン化物触媒を用いたシリコーンポリエーテル共重合体のエポキシ官能性アルコキシシランでのアルコキシル化
および／または
ｂ）ＤＭＣ触媒を用いて対応する不飽和開始剤化合物をエポキシ官能性アルコキシシランでアルコキシル化することによって予め得られた、アルコキシシリル基を有する不飽和ポリエーテルのヒドロシリル化結合
によって得られる、請求項７に記載のアルコキシシリル官能性ポリエーテルシロキサンの製造方法。
【請求項１１】
複合金属シアン化物触媒を用いてシリコーンポリエーテル共重合体をエポキシ官能性アルコキシシランでアルコキシル化することによる、式（Ｉ）のアルコキシシリル官能性ポリエーテルシロキサンおよびその混合物を製造するための請求項１０に記載の方法。
【請求項１２】
ＤＭＣ触媒を用いて対応する不飽和開始剤化合物をエポキシ官能性アルコキシシランでアルコキシル化することによって製造されるアルコキシシリル基を有する不飽和ポリエーテルをヒドロシリル化結合することによる、式（Ｉ）のアルコキシシリル官能性ポリエーテルシロキサンおよびその混合物を製造するための請求項１０に記載の方法。
【請求項１３】
少なくとも１種類のアルキレンオキサイド、グリシジル化合物、ラクトンおよび／または環状無水物または式（ＩＩＩ）のエポキシ官能性アルコキシシラン
【化８】
2012511067.tif 000008
（式中、指数ａ、ｂおよびｃ、ならびにＲ基は、式（Ｉａ）について定義された意味を有し、ｐは、差４−ａ−ｂに相当する整数である）
を、開始剤化合物として機能する前記ポリエーテルシロキサン系のＯＨを有し、シロキサン結合を有するまたは遊離したポリエーテルに開環付加することを特徴とする、式（Ｉ）のアルコキシシリル官能性ポリエーテルシロキサンおよびその混合物を製造するための請求項１０に記載の方法。
【請求項１４】
３−グリシジルオキシプロピルトリメトキシシラン、３−グリシジルオキシプロピルトリエトキシシラン、３−グリシジルオキシプロピルトリプロポキシシラン、３−グリシジルオキシプロピルトリイソプロポキシシラン、ビス（３−グリシジルオキシプロピル）ジメトキシシラン、ビス（３−グリシジルオキシプロピル）ジエトキシシラン、３−グリシジルオキシヘキシルトリメトキシシラン、３−グリシジルオキシヘキシルトリエトキシシラン、３−グリシジルオキシプロピルメチルジメトキシシラン、３−グリシジルオキシプロピルエチルジエトキシシランが、式（ＩＩＩ）のエポキシド官能性アルコキシシランとして使用されることを特徴とする、請求項１３に記載の方法。
【請求項１５】
アルコキシシリル基を有する不飽和ポリエーテルを水素シロキサンとヒドロシリル化結合させることを特徴とする、式（Ｉ）のアルコキシシリル官能性ポリエーテルシロキサンおよびその混合物を製造するための請求項１０に記載の方法。
【請求項１６】
式（ＸＩ）の水素シロキサンおよびその混合物
【化９】
2012511067.tif 000009
［式中、
Ｘ１１は、ＸまたはＨであり、
Ｘ１２は、Ｘ１１または式（ＸＩａ）のフラグメントに対応し、
【化１０】
2012511067.tif 000010
式中、
ｋ、ｋ１、ｋ２、およびｏは、式（Ｉ）について前述した意味を有し、
ｌ、ｌ１、ｌ２は、各々、互いに独立して、０〜１２０、好ましくは０〜６０、特に０〜５０の整数であり、
但し、ｌ、ｌ１およびｌ２の合計が０の場合、Ｘ１１は少なくとも１回は水素であり、但し、Ｘ１１がＸの場合、ｌ、ｌ１およびｌ２の合計は少なくとも１である］
を特徴とする、請求項１５に記載の方法。
【請求項１７】
請求項１〜６のいずれか１項に記載のアルコキシシリル官能性ポリエーテルシロキサンを使用して製造されるポリマー物品。
【請求項１８】
請求項１〜６のいずれか１項に記載のアルコキシシリル官能性ポリエーテルシロキサンを使用して製造される硬化性組成物。
【請求項１９】
界面活性剤、接着剤、シーラントおよび結合剤、充填剤、助剤および添加剤、乳化剤、湿潤剤および分散剤、ポリマー添加剤、表面コーティング用のレベリング剤、潤滑剤として、三次石油回収用の助剤として、繊維、ヤーンまたはシート状のテキスタイル製品を柔軟化するためのテキスタイル助剤として、消泡剤として、化粧品添加剤として、および泡安定剤、特にポリウレタンフォームの安定剤として使用される、請求項１〜６のいずれか１項に記載のアルコキシシリル官能性ポリエーテルシロキサンを含有する組成物。
【請求項２０】
コーティング、プラスチックの押出、接着、ポリマーの安定化、湿潤、消泡、乳化、分散および／または表面改質に適した方法での使用のための、溶媒中に溶解される、請求項１〜６のいずれか１項に記載のアルコキシシリル官能性ポリエーテルシロキサンを含有する組成物。